(57)【要約】【課題】目的全体として、簡単な装置で効率的な効果をもたらすことであるが、用途が広範囲であるため洗浄を目的とする場合を記述する。１．洗浄効果の向上。２．洗浄時間の短縮。３．石鹸や洗剤の激減による環境保護。【解決手段】容器自体を周回運動させることにより、容器内を攪乱して目的とする効果を得る。【選択図】図４
2005074421.tif 000002
【特許請求の範囲】
【請求項１】
洗浄物及び洗浄に要する物を出し入れできる容器と該容器を周回運動させる動力手段から構成され、該容器を周回運動させることにより該容器内の洗浄物等が攪乱され洗浄し得ることを特徴とする周回運動装置。
【請求項２】
容器内に洗浄物の着脱可能な器具を設け洗浄物を固定することで、洗浄し得ることを特徴とする請求項１に記載する周回運動装置。
【請求項３】
容器内に洗浄物の出し入れのできる網目状の袋を設け洗浄物を袋の中に入れることで、洗浄し得ることを特徴とする請求項１に記載する周回運動装置。
【請求項４】
容器内に水が自由に出入り可能な台を設けて、人間はその中に居るだけで人体の洗浄やマッサージ効果が得られることを特徴とする請求項１に記載する周回運動装置。
【請求項５】
洗浄物及び洗浄に要する物を出し入れできる容器と該容器を周回及び回転運動させる動力手段から構成され、該容器を周回運動させることにより該容器内の洗浄物等が攪乱され洗浄し得ることを特徴とする周回運動装置。
【請求項６】
用便器を兼ねた容器と該容器を周回運動させる動力手段から構成され、該容器を周回運動させることにより該容器内の水が攪乱され該容器を洗浄し得ることを特徴とする周回運動装置。
【請求項７】
前記、用便器のように目的とする機能を兼ねた容器とすることにより、洗浄し得ることを特徴とする請求項５に記載する周回運動装置。
【請求項８】
無洗剤で洗浄し得ることを特徴とする請求項１から請求項７に記載する周回運動装置。
【請求項９】
請求項１に記述する洗浄目的のように、請求項１から請求項５に記載する、周回運動装置の容器内に目的物を入れることにより目的が成されることを特徴とする周回運動装置。
【請求項１０】
円筒体の円の面を側面とするように、周回運動に係る２面以上を異なる形とする容器を用いることで、容器内を攪乱し得ることを特徴とする請求項１から請求項９に記載する周回運動装置。
【請求項１１】
攪乱されることにより容器内に気泡を発生させることを特徴とする請求項１から請求項９に記載する周回運動装置。
【請求項１２】
定点を軸とする回転運動のように、遠心力を発生させないことを特徴とする請求項１から請求項９に記載する周回運動装置。
【請求項１３】
円筒体の円の面を側面とするように、周回運動に係る２面以上を異形とする容器を用いることで容器内を攪乱し得ることを特徴とする請求項１１及び請求項１２に記載する周回運動装置。
【請求項１４】
攪乱されることにより容器内に気泡を発生させることを特徴とする請求項１０及び請求項１２に記載する周回運動装置。
【請求項１５】
定点を軸とする回転運動のように、遠心力を発生させないことを特特徴とする請求項１０及び請求項１１に記載する周回運動装置。
【発明の詳細な説明】
【技術分野】
【０００１】  定点を軸とする回転運動がさまざまな分野で利用されているように、本発明の周回運動も利用分野は多岐にわたるものである。  それは、装置の形態は同じでも動力部の出力及び周回運動の速度や容器の形状及び材質等を替えることでも利用分野は異なるのである。  また、容器の中に入れる目的物によっても利用される分野は更に異なるのである。【０００２】  以下に技術分野を記述する。【０００３】▲１▼  洗浄技術について  衣類、食器、人体をはじめ、道具類のほか、洗浄を要する物に用いる。▲２▼  攪乱技術について  料理の材料をはじめ、攪乱を要する物に用いる。▲３▼  混合技術について  塗料等をはじめ、混合を要する物に用いる。▲４▼  活性化技術について  水等をはじめ、活性化を要する物に用いる。【０００４】  以上のように、利用される技術分野は広範囲に及ぶため、以下に技術を列記する。  沈静化、希釈化、酸化、粒子化、流体化、液状化、化成化、合成化、浄化、熟成化、速成化、粘性化、腐熟化、腐葉化、肥沃化、豊沃化、溶融化、沃土化、融合化、消磨化、砂状化、球状化、研磨、化合、溶解、溶融等に関するものである。
【背景技術】
【０００５】  洗浄技術として、一般家庭にある洗濯機は回転翼により回動させる方法と、ドラ厶式の場合はドラムを回動させて洗浄物を落下させる方式である。【０００６】  食器洗浄は洗剤と水を噴射する方式であり、人体の洗浄装置は存在していない。【０００７】  その他の技術にしても容器自体を周回運動させることにより、容器内が攪乱され目的が成されるという本発明の技術とは根本的に異なるものである。
【発明が解決しようとする課題】
【０００８】  全般に通じることとして、簡単な装置で効率的な効果をもたらすことであるが、代表事例として洗浄技術について記述する。
【０００９】  １．洗浄効果の向上。  ２．洗浄時間の短縮。  ３．石鹸や洗剤の激減による環境保護。
【課題を解決するための手段】
【００１０】    目的物を容器内に入れ容器自体を周回運動させることにより、容器内が攪乱され目的が成されること。
【発明を実施するための最良の形態】
【００１１】
【図１】
に示すのは、定点を軸とする回転運動装置である。
【図２】
に示すのは、
【図１】
に同様の回転運動装置である。
【００１２】  この装置に用いられている容器２は、後述する
【図３】
及び
【図４】
に記載する周回運動装置に用いる容器と同様の円筒体である。
【００１３】  この、点を軸とする回転運動装置を用いて円筒体の容器２を回転させても容器２の中にある水４は攪乱されないのである。
【００１４】
【図３】
に示すのは、周回運動をさせる周回軸１１が動力部１２と容器８では異なる点を軸とする周回運動装置である。
【図４】
に示すのは、
【図３】
に同様の周回運動装置である。
【００１５】  このように、動力部１２と容器８が異なる点を軸とする周回運動装置を用いて円筒体の容器８を周回運動させることにより容器８の中にある水１０は攪乱されるのである。
【００１６】  これが、本発明の基本原理である。  この基本原理を元に、目的物に応じて動力部の出力や周回速度及び容器の形状や材質を替えること等で様々な態様にすることができるものである。
【００１７】  また、同一装置であっても容器に入れる目的物によって様々な用途に対応できるものである。
【００１８】
【図５】
に示すのは、周回運動装置の動力伝達部であり図示されない動力により、歯車１３は矢印１４方向に回転するものである。
【００１９】  この歯車１３の外周上の１点に図示されない容器を取り付け周回運動をさせることも可能である。
【００２０】  ここでは、歯車１３の回転により歯車１５及び歯車１６が矢印１７方向に回転するものである。
【００２１】  この歯車１５及び歯車１６の外周上の１点に図示されない容器の装着器具１８が取り付けられている。
【００２２】
【図６】
に示すのは、図示されない動力装置により歯車１３が回転することにより、歯車１５及び歯車１６が連動し歯車１５及び歯車１６の外周上の１点に取り付けられた図示されない容器に固定されている装着器具１８の軌跡１９である。
【００２３】  この軌跡図に示されるように、装着器具１８の角にある点２０の軌跡２１が描かれているところに、歯車を設置して歯車の外周上の１点に点２０を取り付けることにより、図示されない容器を周回運動させることも可能である。
【００２４】  この場合の、軌跡２１に置かれる図示されない歯車の駆動は、図示されない動力により図示されないシャフトやベルトを介することにより行なわれるものである。
【００２５】  このように、基本原理を用いて目的に応じた態様にすることで利用分野が広がるものである。
【００２６】
【図７】
に示すのは、周回運動装置を利用した人体の洗浄、マッサージ装置であるが、水が自由に出入りできる台２２に人間が入っているだけで洗浄が行なわれマッサージ効果も得られるものである。
【００２７】  これは、図示されない動力装置により周回運動装置２３が駆動され、容器２４が周回運動を行ない容器２４内の水（温水）２５が攪乱され行なわれるものである。
【００２８】  また、攪乱された水２５の飛散防止装置として上部には蓋２６が装備されている。
【００２９】  水が攪乱され起こる波の形状は、容器２４の形状や周回運動の速度によりもたらされるものであるので様々な態様に対応できるものである。
【００２９】
【図８】
は、
【図７】
の平面図であり周回運動装置２３により周回する容器２４の軌跡を描いたものであり、水が自由に出入りできる台２２は操作することにより移動は可能であるが、容器２４が周回運動を行い水２５が攪乱している時は静止しているものである。
【発明の効果】
【００３０】目的に応じて、簡単な装置で効率的な効果をもたらすことであるが、用途が広範囲であるため洗浄を目的とする場合を記述する。１．洗浄効果の向上。２．洗浄時間の短縮。３．石鹸や洗剤の激減による環境保護。
【図面の簡単な説明】
【図１】定点を軸とする回転運動装置の正面図である。
【図２】「図１」の側面図である。
【図３】動力装置と容器が、独自に軸を持つ周回運動装置の正面図である。
【図４】「図３」の側面図である。
【図５】周回運動装置の動力伝達部の平面図である。
【図６】周回運動装置の動力伝達による軌跡の平面図である。
【図７】周回運動装置を利用した、人体の洗浄、マッサージ装置の側面図である。
【図８】「図７」の平面図である。
【符号の説明】
１        回転運動装置            １４        矢印  ２        容器                    １５        歯車  ３        蓋                      １６        歯車  ４        水                      １７        矢印  ５        回転軸                  １８        装着器具  ６        動力部                  １９        軌跡  ７        周回運動装置            ２０        点  ８        容器                    ２１        軌跡  ９        蓋                      ２２        台１０        水                      ２３        周回運動装置１１        周回軸                  ２４        容器１２        動力部                  ２５        水１３        歯車                    ２６        蓋
【図１】
2005074421.tif 000003
【図２】
2005074421.tif 000004
【図３】
2005074421.tif 000005
【図４】
2005074421.tif 000006
【図５】
2005074421.tif 000007
【図６】
2005074421.tif 000008
【図７】
2005074421.tif 000009
【図８】
2005074421.tif 000010